(57)【特許請求の範囲】
【請求項１】
給水口部から洗濯機へ連通する連通流路に分岐水栓を設け、この分岐水栓をフレキシブル管を介して仮設水栓に連通させるとともに、前記分岐水栓に、前記給水口部から前記洗濯機へ給水を続けながら前記仮設水栓への通水あるいは止水を行える分岐ハンドルを設け、更に、前記仮設水栓を任意の取り付け位置に設置可能に構成するとともに、前記取り付け位置において前記仮設水栓の高さ位置を調節可能に構成してあることを特徴とする水栓機構。
【発明の詳細な説明】
【０００１】
【発明の属する技術分野】
この発明は、給水口部から洗濯機へ連通する連通流路に設けた分岐水栓によって洗濯機へ給水を続けながら仮設水栓への通水を可能にするとともに、仮設水栓を任意の位置に設置した上で仮設水栓の高さ位置を調節できる新規な水栓機構に関する。
【０００２】
【従来の技術および発明が解決しようとする課題】
例えばマンションなどで洗面化粧台に隣接して洗濯機が設置されている場合、洗面化粧台用水栓は人が顔や手洗い等に適するよう低く設置されているので、洗面台用水栓から高さのあるポリバケツなどに給水するときは、洗面化粧台のカウンター内にポリバケツを斜め置きにしながら給水しなければならず給水し難いといった不都合がある。また、洗濯機給水用水栓から仮設ホースを用いて給水することも考えられるが、いずれにしても利便性の観点から洗濯中でも洗濯機給水用水栓からの給水を利用できる機構が望まれる。
【０００３】
この発明は、上述の事柄に留意してなされたもので、その目的は、洗濯中でも洗濯機給水用水栓からの給水を利用できるとともに、例えば洗面化粧台のカウンター内に例えば高さのあるポリバケツを設置しても容易に給水が可能な利便性を備えた水栓機構を提供することである。
【０００４】
【課題を解決するための手段】
上記目的を達成するため、この発明は、給水口部から洗濯機へ連通する連通流路に分岐水栓を設け、この分岐水栓をフレキシブル管を介して仮設水栓に連通させるとともに、前記分岐水栓に、前記給水口部から前記洗濯機へ給水を続けながら前記仮設水栓への通水あるいは止水を行える分岐ハンドルを設け、更に、前記仮設水栓を任意の取り付け位置に設置可能に構成するとともに、前記取り付け位置において前記仮設水栓の高さ位置を調節可能に構成してある。
【０００５】
【発明の実施の形態】
以下、この発明の実施の形態を図面を参照しながら説明する。
図１〜図３は、この発明の一実施形態を示す。
【０００６】
図１〜図３において、１は、洗面化粧台ユニット２に隣接して設置されている洗濯機で、洗濯機給水用水栓３が洗濯機１に合わせて設置されている。この実施形態では前記洗濯機給水用水栓３として本出願人が多数出願している水道用コンセント（例えば、特開平１０−２９９０４２号公報、特開平１１−２９３７２４号公報、特開平１１−２５６６３１号公報参照）を採用している。４は、前記水道用コンセント３の水流出口に連通する水栓側継手（給水口部）で、下流部分４ｂが上流部分４ａから斜下方向に突設されており、先端における外周面部にロック溝を有する。５は、止水機能を兼ねた流量調整用レバーである。６は、洗面化粧台ユニット２のカウンター７に設置された水栓である。８は、壁面である。
【０００７】
以下、この発明の特徴的構成について説明する。
【０００８】
９は、水栓側継手４および洗濯機給水用ホース１０間に設けた分岐水栓である。この分岐水栓９は、筒状の分岐水栓本体１１と、分岐管１２と、分岐ハンドル１３よりなる。
【０００９】
そして、分岐水栓本体１１の上流端には、図２に示すように、摺動部１４ａを下流側へ摺動させ、装着面１４ｃから内側へ突出しているロックボール１４ｂを外側へ凹ませて装着面１４ｃを水栓側継手４の外周面部に外嵌させるとともにロックボール１４ｂを外周面部に形成された前記ロック溝に嵌め込む形で水栓側継手４と連結される、ロックレバー１５付きの継手１４が設けられている。
【００１０】
前記分岐水栓本体１１は、流量調整用レバー５を開状態（通水状態）にすれば洗濯機１へ給水を常時続けることができる連通流路を有するよう構成されているとともに、分岐水栓本体１１には分岐ハンドル１３の操作に連動するボールバルブ（図示せず）が内蔵されており、分岐ハンドル１３を開状態（通水状態）にすると連通流路がボールバルブを介して分岐管１２に形成される分岐流路にも分岐連通する一方、分岐ハンドル１３を閉状態（止水状態）にするとボールバルブによって連通流路と分岐流路が遮断されるよう構成されている。
【００１１】
また、分岐水栓本体１１の下流端には、洗濯機給水用ホース１０の上流側継手１６に接続される継手１７が設けられている。そして、前記上流側継手１６にもロックレバー１７が設けられている。前記両継手１６，１７の接続機構としては、本出願人が出願している特願平１１−３４２２４７号明細書、図面に記載されているものを用いることができる。
【００１２】
１８は、ホルダ２２上に移動可能に設置された仮設水栓で、開閉レバー１８ａおよび吐出口１８ｂを有し、仮設水栓本体１９には、分岐水栓９の分岐管１２と水栓１８とをフレキシブル管２１を介して連通させるための導入管２０が設けられている。フレキシブル管２１は、例えばネジ止めによって上流端および下流端がそれぞれ分岐管１２および導入管２０に接続されている。
【００１３】
２３は、仮設水栓本体１９の後部に一体または別体で設けたガイド片で、横断面略コ字型をなしている。ガイド片２３は一対の溝部２４を有するとともに、各溝部２４には、それぞれ凹凸を有する板バネ２５が設置されている。
【００１４】
２６は、仮設水栓１８をガイド片２３および板バネ２５を介して任意の高さに位置決めさせるための支持部材である。この支持部材２６は、ガイド片２３を摺動案内するレール２７と、これを保持する保持部２８と、レール２７と保持部２８を繋ぐ連結部２９と、保持部材２８の下部に設けた固定部３０とよりなる。
【００１５】
更に、レール２７の両端面には、板バネ２５の凸部２５ａが係合可能な凹所３１が複数形成されている。ガイド片２３は、溝部２４の先端部分２４ａを保持部２８とレール２７間に形成される隙間Ｍに位置する形で板バネ２５とともにレール２７上を上下方向に摺動する。その際、板バネ２５の凸部２５ａがレール２７の凹所３１に係合することにより、適宜の高さに仮設水栓１８を位置させることができる。５０は、固定部３０の四隅に設けたビス穴、５１は、マグネットである。この実施形態では、ビス穴５０にビスを通すことにより、カウンター２の端部に支持部材２６を立設させている。
【００１６】
よって、高さのあるポリバケツをカウンター２に設置してもポリバケツを斜め置きにしながら給水しなければならないような不都合は生じることはない。すなわち、仮設水栓１８を支持部材２６によって適宜の高さに仮設水栓１８を位置させることができるから、ポリバケツを正立させた自然な状態で容易に給水できる。
【００１７】
また、この実施形態では、給水口部として壁面８に垂直に突出しているだけの水栓側継手ではなく、下流部分４ｂが斜下方向に突設されている水栓側継手４を用いているので、洗濯機給水用ホース１０の折れや破損のおそれがなくなり、しかも取り付け、取り外しが容易で使い勝手のよいものにできる。
【００１８】
図４は、洗濯機給水用ホース１０の上流側継手１６に接続される継手としてＬ字状に湾曲した形状の継手５０を用いたこの発明の他の実施形態を示す。図４において、図１〜図３で示した符号と同一のものは、同一または相当物である。
【００１９】
図４において、分岐水栓９の下流端に設けた継手５０は、上流部分５０ａと下流部分５０ｂよりなり、下流部分５０ｂが上流部分５０ａから斜下方向に突設されている。
【００２０】
この実施形態では、水道用コンセントに用いる水栓側継手として、図１に示した上流部分４ａから斜下方向に突設された形状の水栓側継手４ではなく、壁面８に垂直に突出しているだけのものを用いた場合でも、継手５０の下流部分５０ｂが上流部分５０ａから斜下方向に突設しているので、上記実施形態と同様、洗濯機給水用ホース１０の折れや破損のおそれがなくなり、しかも取り付け、取り外しが容易で使い勝手のよいものにできる。
【００２１】
なお、上記各実施形態では、洗濯機給水用ホース１０と分岐水栓９が別部材のものを示したが、上流側継手１６を使うことなく洗濯機給水用ホースを分岐水栓９の下流端に一体に接続したものを用いてもよい。
【００２２】
また、支持部材２６を立設させたものを示したが、仮設水栓１８の後部をスプライン軸に形成するとともに、バネを用いて仮設水栓１８を常時支持部材２６側に付勢するように構成すれば、バネの付勢力に抗して仮設水栓１８を支持部材２６から離間させた後スプライン軸の回りに仮設水栓を図１に示す仮設水栓１８の設置状態から例えば９０°回転させ、続いて、その状態で仮設水栓１８を離すと支持部材２６を横置きにも設置できる。
【００２３】
更に、支持部材２６はマグネット５１を有するので、ステンレス製のシンクに容易に取り付けできる。
【００２４】
【発明の効果】
この発明では、給水口から洗濯機へ連通する連通流路に設けた分岐水栓によって洗濯機へ給水を続けながら仮設水栓への通水を可能にするとともに、仮設水栓を任意の位置に設置した上で仮設水栓の高さ位置を調節できるので、洗濯中でも洗濯機給水用水栓からの給水を利用できるとともに、例えば洗面台のカウンター内に例えば高さのあるポリバケツを設置しても容易に給水が可能な利便性を有する効果がある。
【図面の簡単な説明】
【図１】この発明の一実施形態を示す全体斜視図である。
【図２】上記実施形態で用いた分岐水栓を示す斜視図である。
【図３】上記実施形態において、仮設水栓の高さ調整機構を示す図である。
【図４】この発明の他の実施形態で用いた分岐水栓を示す斜視図である。
【符号の説明】
１…洗濯機、３…水道用コンセント、９…分岐水栓、１２…分岐管、１３…分岐ハンドル、１８…仮設水栓、２１…フレキシブル管、２６…支持部材。
【図１】
0004388212.tif 000002
【図２】
0004388212.tif 000003
【図３】
0004388212.tif 000004
【図４】
0004388212.tif 000005